(57)【要約】      （修正有）【課題】１つの楽曲コンテンツに対して複数の編集端末から同時編集を可能とする楽曲編集サーバと楽曲コンテンツ編集装置を提供する。【解決手段】楽曲編集サーバ１０に対して、一つあるいは複数の編集端末３０Ａ〜３０Ｄがネットワークを介して接続される。編集端末３０Ａ〜３０Ｄは、ユーザの編集操作にもとづいて、編集命令を楽曲編集サーバ１０に送信する。楽曲編集サーバ１０は編集命令を受信すると、該編集命令にもとづいた編集操作を、楽曲コンテンツを構成するコンテンツデータベース１０１に反映し、接続される各編集端末３０Ａ〜３０Ｄに、それぞれの編集端末の機能、特性に適した、楽曲コンテンツの編集操作にもとづいたコンテンツ差分情報を送信する。それぞれの編集端末３０Ａ〜３０Ｄは、コンテンツ差分情報を受信すると、その内容を楽曲コンテンツに反映し、画面に表示あるいは音声再生装置で再生する。【選択図】図２
2015049503.tif 000002
【特許請求の範囲】
【請求項１】
複数の楽曲コンテンツが保存されている楽曲編集サーバと、複数の編集端末と、前記複数の編集端末と前記楽曲編集サーバとがネットワークで連結されている楽曲編集システムであって、
前記楽曲コンテンツは、
前記楽曲編集サーバから前記複数の編集端末に送信されて、同時に編集可能なものであり、
前記複数の編集端末は、同期状態にあり、
該編集端末は、
前記楽曲コンテンツを編集するための編集命令を生成する手段と、
該編集命令を、前記楽曲編集サーバに送信する編集命令送信手段と、
前記楽曲編集サーバから送信されるコンテンツ差分情報を受信するコンテンツ差分情報受信手段と、
該コンテンツ差分情報にもとづいて更新された楽曲コンテンツの内容を表示或いは再生する手段を備え、
前記楽曲編集サーバは、
前記編集端末から前記編集命令を受信し、その内容にもとづいて前記楽曲コンテンツを更新し、前記コンテンツ差分情報を前記複数の編集端末に送信する手段を備えたことを特徴とする楽曲編集システム。
【請求項２】
請求項１記載の楽曲編集システムにおいて、
前記楽曲コンテンツは、
複数の形式を有するものであり、
前記楽曲編集サーバは、
前記編集端末の機能、特性における情報を認識する機能を有するものであり、
該認識された機能に応じて、
前記複数の形式のうちのいずれかの前記楽曲コンテンツを前記編集端末へ送信することを特徴とする楽曲編集システム。
【請求項３】
請求項１又は請求項２記載の楽曲編集システムにおいて、
前記編集端末は、
音符一つ一つのデータは扱わずに音声データを扱う機能を有するものであり、
前記楽曲編集サーバは、
該認識された機能に応じて、演奏情報を音声データに変換し前記編集端末へ送信することを特徴とする楽曲編集システム。
【請求項４】
複数の楽曲コンテンツが保存されている楽曲編集サーバと、複数の編集端末と、前記複数の編集端末と前記楽曲編集サーバとがネットワークで連結されている楽曲編集方法であって、
前記楽曲コンテンツは、
前記楽曲編集サーバから前記複数の編集端末に送信されて、同時に編集可能なものであり、
前記複数の編集端末は、同期状態にあり、
該編集端末は、
前記楽曲コンテンツを編集するための編集命令を生成する手段と、
該編集命令を、前記楽曲編集サーバに送信する編集命令送信手段と、
前記楽曲編集サーバから送信されるコンテンツ差分情報を受信するコンテンツ差分情報受信手段と、
該コンテンツ差分情報にもとづいて更新された楽曲コンテンツの内容を表示或いは再生する手段を備え、
前記楽曲編集サーバは、
前記編集端末から前記編集命令を受信し、その内容にもとづいて前記楽曲コンテンツを更新し、前記コンテンツ差分情報を前記複数の編集端末に送信する手段を備えたことを特徴とする楽曲編集方法。
【請求項５】
請求項４記載の楽曲編集方法において、
前記楽曲コンテンツは、
複数の形式を有するものであり、
前記楽曲編集サーバは、
前記編集端末の機能、特性における情報を認識する機能を有するものであり、
該認識された機能に応じて、
前記複数の形式のうちのいずれかの前記楽曲コンテンツを前記編集端末へ送信することを特徴とする楽曲編集方法。
【請求項６】
請求項４又は請求項５記載の楽曲編集方法において、
前記編集端末は、
音符一つ一つのデータは扱わずに音声データを扱う機能を有するものであり、
前記楽曲編集サーバは、
該認識された機能に応じて、演奏情報を音声データに変換し前記編集端末へ送信することを特徴とする楽曲編集方法。
【発明の詳細な説明】
【技術分野】
【０００１】  本発明は、ネットワークを介して楽曲コンテンツの同時編集を行うための楽曲コンテンツ編集システム、楽曲編集サーバ及び通信端末に関するものである。
【背景技術】
【０００２】  現在、楽曲コンテンツの編集方法では、楽曲コンテンツを構成する演奏データ等の情報をコンピュータにて管理し、コンピューターにて楽曲コンテンツへの編集を行うことが主流となっている。【０００３】  一方、複数人で同一の画像などのコンテンツを同時編集する従来技術としては、例えば特許文献１に記載のものがある。特許文献１には、編集サーバと多数の通信端末とが相互に通信可能なシステムにおいて、１つの通信端末が画像データを編集し、編集に関する情報を画像編集サーバに送信した場合に、画像編集サーバは、端末から送信された画像編集に関する情報を、他の通信端末に送信する機能を備え、１つ又は他の通信端末は、画像編集サーバから送信された編集画像に関する情報に基づいて生成された編集コンテンツを再編集する手段及び、再編集情報を画像サーバに送信する手段を備えることが記載されている。これにより、複数の通信端末による同一の画像コンテンツの編集が可能となった。【０００４】  また、ネットワーク上での複数人による同一コンテンツを同時編集する従来技術としては、例えば特許文献２に記載のものがある。特許文献２には、映像編集サーバと多数の通信端末とが相互に通信可能なシステムにおいて、通信端末は、編集サーバから送信された編集情報によるコンテンツを生成することはなく、再編集という形を取らずに映像コンテンツの編集命令を送信することが記載されている。これにより、同一コンテンツの複数端末での同時編集を可能としている。
【先行技術文献】
【特許文献】
【０００５】
【特許文献１】  特開２０００−３００７３号公報
【特許文献２】  特開２００９−２９６４４９号公報
【発明の概要】
【発明が解決しようとする課題】
【０００６】  以上のように、従来、クライアント・サーバ型のコンテンツ編集装置を利用し、複数人でコンテンツの編集を同時に行おうとした場合、編集結果のコンテンツ或いは編集命令を表示させることが出来る機能を各端末が有している必要があった。【０００７】  本発明は、上記の従来技術の問題点を解決するためになされたものであり、それぞれ機能、特性の異なる端末による、複数人による同一コンテンツの同時編集作業を可能とする編集システム、編集サーバ、通信端末を提供することを目的とする。
【課題を解決するための手段】
【０００８】  本発明は、上記した問題点の解決を目的としている。上記課題を解決するために、請求項１に記載の発明は、コンテンツ編集インタフェースから共通のコンテンツを同時に編集可能な同期状態にある複数の通信端末と、該複数の通信端末による共通のコンテンツの編集を制御するコンテンツ編集サーバとを含むコンテンツ編集システムであって、前記通信端末は、前記コンテンツの編集命令を生成する編集命令生成手段と、前記編集命令生成手段により生成された編集命令を、前記コンテンツ編集サーバに送信する編集命令送信手段と、前記コンテンツ編集サーバから送信されたコンテンツ差分情報の受信手段と、前記コンテンツ差分情報受信手段により受信したコンテンツ差分情報の内容を表示あるいは再生手段とを備え、前記コンテンツ編集サーバは、前記同期状態にある複数の通信端末のうちの１つから前記コンテンツ編集命令の受信手段と、該コンテンツ編集命令から前記同期状態にあるそれぞれの通信端末の特性に沿ったコンテンツ差分情報を生成する手段と、該コンテンツ差分情報を前記同期状態にある他の通信端末に送信する手段を備えたことを特徴とするコンテンツ編集システムを提供する。
【発明の効果】
【０００９】  本発明によれば、同期状態にある複数の通信端末は、他の通信端末の存在を意識することなく、コンテンツ編集サーバから送信されてくるコンテンツ差分情報により、最新でのコンテンツを得られると同時に、自らの特性に沿った形式のコンテンツを持つことにより再生及び再生中の変更等を容易とした上で、複数人によるコンテンツの同時編集作業が可能となる。
【図面の簡単な説明】
【００１０】
【図１】  本発明の実施形態に係る楽曲コンテンツ編集システムの全体構成図である。
【図２】  本発明の実施形態に係る楽曲編集サーバ（１０）の構成図である。
【図３】  本発明の実施形態に係る編集端末Ａ（３０Ａ）の構成図である。
【図４】  編集作業の動作状態の説明図である。
【図５】  楽曲編集サーバ（１０）に編集命令が通知された際の楽曲編集サーバ（１０）のフローチャートである。
【発明を実施するための形態】
【００１１】  以下、本発明の実施の形態を、図面を参照して説明する。なお、以下の説明において参照する各図では、他の図と同等部分は同一符号によって示されている。図１は、本発明の実施形態に係る楽曲コンテンツ編集システムの全体構成図である。図１に示すように、本発明の実施形態に係る映像編集システムは、楽曲コンテンツの編集処理を司る楽曲編集サーバ（１０）と、ユーザにより楽曲コンテンツの編集操作が行われる複数の編集端末と、これらの装置間の通信を制御するネットワークとを含んで構成される。
（楽曲編集サーバの構成）
【００１２】  図２には、本発明の実施形態に係る楽曲編集サーバ（１０）の構成図を示す。図２に示すように、楽曲編集サーバ（１０）は、コンテンツデータベース（１０１）と、コンテンツ編集処理部（１００）と、複数の端末通信管理部（２０ｎ）とを含んで構成される。ｎは符号のＡ〜Ｎを表す。
【００１３】  端末通信管理部（２０ｎ）は、編集命令処理部（２１ｎ）、コンテンツ差分情報生成部（２２ｎ）、機能特性情報（２３ｎ）、コンテンツデータ変換データベース（２４ｎ）を含んで構成され、１つの編集端末（３０ｎ）に１つの端末通信管理部（２０ｎ）の形式で構築されることを基本として、編集端末（３０ｎ）からの編集命令の受信、編集命令の変換とコンテンツ編集処理部（１００）への送信、コンテンツ編集処理部（１００）からのコンテンツ変更通知の受信、コンテンツ差分情報の生成と編集端末（３０ｎ）へのコンテンツ差分情報の送信を行う。
【００１４】  コンテンツ編集処理部（１００）は、編集命令によるコンテンツデータベース（１０１）の編集処理、各端末通信管理部（２０ｎ）へコンテンツデータベース（１０１）が編集されたことの通知を行う。
（編集端末（３０ｎ）の構成）
【００１５】  図３には、本発明の実施形態に係る編集端末Ａ（３０Ａ）の構成図を示す。図３に示すように、編集端末Ａ（３０Ａ）は、端末操作部（３１Ａ）と画面表示部（３２Ａ）とコンテンツ再生部（３３Ａ）と、コンテンツデータ管理部（３４Ａ）と、コンテンツ差分情報処理部（３５Ａ）と端末コンテンツデータベース（３６Ａ）を含んで構成される。
【００１６】  画面表示部（３２Ａ）は、楽曲コンテンツ編集インタフェースの機能を有し、コンテンツデータ管理部（３４Ａ）から得るデータに基づき、ディスプレイに画像、楽曲コンテンツ編集画面等を表示する。
【００１７】  コンテンツ再生部（３３Ａ）は、コンテンツデータ管理部（３４Ａ）から得るデータに基づき、楽曲コンテンツをスピーカー等で再生する処理を行う。端末操作部（３１Ａ）は、操作キー、ポインティングデバイス、マイク、加速度センサーや地磁気センサー等を含み、ユーザの操作に基づく編集命令を生成し、楽曲編集サーバ（１０）へ送信する。コンテンツ差分情報処理部（３５Ａ）は、楽曲編集サーバ（１０）から送信されるコンテンツ差分情報を受け、当該コンテンツ差分情報に基づき端末コンテンツデータベース（３６Ａ）を更新する。
【００１８】  コンテンツデータ管理部（３４Ａ）は、コンテンツデータの更新があったことの通知及び、コンテンツデータを、画面表示部（３２Ａ）、コンテンツ再生部（３３Ａ）へ送信する。
（同期完了までの動作）
【００１９】  編集端末Ａ（３０Ａ）、編集端末Ｂ（３０Ｂ）が、楽曲編集サーバ（１０）へ接続し、楽曲編集システムにおける同期完了までの動作を説明する。編集端末Ａ（３０Ａ）はパーソナルコンピュータであり楽曲コンテンツの詳細な情報まで編集可能な機能特性を持つものとし、編集端末Ｂ（３０Ｂ）は携帯端末であり、編集端末Ａ（３０Ａ）と比較すると画面も小さく記憶容量も少ない簡素な機能特性を持つものとする。
【００２０】  編集端末Ａ（３０Ａ）が、楽曲編集サーバ（１０）に接続を行い、その際に送信する情報の中に機能特性情報を含む。編集端末Ａ（３０Ａ）の機能特性情報は「音符一つ一つ毎の編集操作及び再生が可能」とする。楽曲編集サーバ（１０）は、編集端末Ａ（３０Ａ）の接続を認めると同時に、編集端末Ａ（３０Ａ）の機能特性情報を持った端末通信管理部Ａ（２０Ａ）を生成し編集端末Ａ（３０Ａ）に対応させる。
【００２１】  端末通信管理部Ａ（２０Ａ）は、楽曲編集サーバ（１０）の持つコンテンツデータを、コンテンツ差分情報として、編集端末Ａ（３０Ａ）に送信する。この時点では編集端末Ａ（３０Ａ）にある端末コンテンツデータベース（３６Ａ）は空の状態なので、楽曲編集サーバ（１０）の持つコンテンツデータを、空の状態からのコンテンツ差分情報として送信する。編集端末Ａ（３０Ａ）は、楽曲編集サーバ（１０）から送信されたコンテンツ差分情報を受け、自身の端末コンテンツデータベース（３６Ａ）を生成する。以上の時点で編集端末Ａ（３０Ａ）は楽曲編集サーバ（１０）と同期状態となる。
【００２２】  次に編集端末Ｂ（３０Ｂ）が、楽曲編集サーバ（１０）に接続を行い、その際に送信する機能特性情報の中に「音符一つ一つ毎の編集操作及び再生は不可、パート単位の音声データの編集操作及び再生が可能」という情報を付与する。
【００２３】  楽曲編集サーバ（１０）は、編集端末Ｂ（３０Ｂ）の接続を認めると同時に、編集端末Ｂ（３０Ｂ）の機能特性情報を持った端末通信管理部Ｂ（２０Ｂ）を生成し編集端末Ｂ（３０Ｂ）に対応させる。
【００２４】  端末通信管理部Ｂ（２０Ｂ）は、楽曲編集サーバ（１０）の持つコンテンツデータを、コンテンツ差分情報として、編集端末Ｂ（３０Ｂ）に送信する。この時点では編集端末Ｂ（３０Ｂ）にある端末コンテンツデータベース（３６Ｂ）は空の状態なので、楽曲編集サーバ（１０）の持つコンテンツデータを、空の状態からのコンテンツ差分情報として送信する。
【００２５】  その際、端末通信管理部Ｂ（２０Ｂ）の差分情報生成部（２２Ｂ）では、機能特性情報（２３Ｂ）を参照し、編集端末Ｂ（３０Ｂ）に適した形式のコンテンツ差分情報を生成して送信する。この場合では、楽曲コンテンツを演奏させた音声データを生成し送信することになる。編集端末Ｂ（３０Ｂ）は、楽曲編集サーバ（１０）から送信されたコンテンツ差分情報から、自身の端末コンテンツデータベース（３６Ｂ）を生成する。以上の時点で編集端末Ａ（３０Ａ）及び編集端末Ｂ（３０Ｂ）と楽曲編集サーバ（１０）は同期状態となる。
（同時編集の動作）
【００２６】  図４を参照して、同期状態にある編集端末Ａ（３０Ａ）、編集端末Ｂ（３０Ｂ）、楽曲編集サーバ（１０）において、編集端末Ａ（３０Ａ）のユーザが編集操作を行い、その後、編集端末Ｂ（３０Ｂ）のユーザが編集操作を行った際に、楽曲編集サーバ（１０）及び、各編集端末の同期処理の動作を説明する。
【００２７】  編集端末Ａ（３０Ａ）のユーザが、ピアノパートを作成し、そのパートの一拍目にド、二拍目にレ、三拍目にミ、というフレーズを作成する編集操作（Ｓ０１）をしたものとする。
【００２８】  編集端末Ａ（３０Ａ）は編集操作（Ｓ０１）に従い、作成するピアノパート及び、一拍目のド、二拍目のレ、三拍目のミそれぞれに、楽曲編集サーバ（１０）及び各編集端末においてデータを識別する為の一意識別子ＵＵＩＤを割り付けた形で、合計４つの編集命令（Ｓ０２）を楽曲編集サーバ（１０）に送信する。
【００２９】  楽曲編集サーバ（１０）は編集命令（Ｓ０２）を受け、コンテンツ編集処理部（１００）により、コンテンツデータベース（１０１）を更新した後、端末通信管理部Ａ（２０Ａ）及び端末通信管理部Ｂ（２０Ｂ）に対して、コンテンツデータベース（１０１）が編集されたことを通知する。
【００３０】  端末通信管理部Ａ（２０Ａ）のコンテンツ差分情報生成部（２２Ａ）は、「音符一つ一つ毎の編集操作及び再生が可能」という機能特性情報（２３Ａ）を参照することで変換は不要と判断し、ピアノパートの作成、そのパートの一拍目にド、二拍目にレ、三拍目にミが作成されたという計４つのコンテンツ差分情報（Ｓ０３）を生成送信する。コンテンツ差分情報（Ｓ０３）を受信した編集端末Ａ（３０Ａ）は、コンテンツ差分情報処理部（３５Ａ）にて、端末コンテンツデータベース（３６Ａ）への反映及び画面表示部（３２Ａ）、コンテンツ再生部（３３Ａ）への反映処理を行う。
【００３１】  続いて、端末通信管理部Ｂ（２０Ｂ）のコンテンツ差分情報生成部（２４Ｂ）にて、「音符一つ一つ毎の編集操作及び再生は不可、パート単位の音声データの編集操作及び再生が可能」という機能特性情報（２３Ｂ）を参照することで、変換が必要と判断し、一拍目のド、二拍目のレ、三拍目のミをピアノで演奏した音声データを作成した後、ピアノパートの作成と、ピアノパートの音声データという２つのコンテンツ差分情報（Ｓ０４）を生成送信する。コンテンツ差分情報（Ｓ０４）を受信した編集端末Ｂ（３０Ｂ）は、端末コンテンツデータベース（３６Ｂ）への反映及び画面等の更新を行う。
【００３２】  以上で編集端末Ａ（３０Ａ）のユーザの編集操作に対する処理は完了となる。次に、編集端末Ｂ（３０Ｂ）のユーザが、ピアノパート全体を半音あげるという編集操作（Ｓ０５）をした場合の説明をする。編集端末Ｂ（３０Ｂ）は編集操作（Ｓ０５）に従い、ピアノパート（ＵＵＩＤ１００）全体を半音上げるという１つの編集命令（Ｓ０６）を楽曲編集サーバ（１０）に送信する。
【００３３】  楽曲編集サーバ（１０）は、編集命令（Ｓ０６）を受けた編集命令処理部（２１Ｂ）にて、コンテンツ変換データベース（２４Ｂ）を参照し、編集命令（Ｓ０６）を、ド（ＵＵＩＤ２０１）、レ（ＵＵＩＤ２０２）ミ（ＵＵＩＤ２０３）をそれぞれ半音上げる処理へと変換し、コンテンツ編集処理部（１００）にて、コンテンツデータベース（１０１）を更新する。
【００３４】  端末通信管理部Ａ（２０Ａ）は、ド（ＵＵＩＤ２０１）、レ（ＵＵＩＤ２０２）、ミ（ＵＵＩＤ２０３）が半音上がったという３つのコンテンツ差分情報（Ｓ０７）を編集端末Ａ（３０Ａ）へ送信し、編集端末Ａ（３０Ａ）は端末コンテンツデータベース（３６Ａ）及び画面表示部（３２Ａ）、コンテンツ再生部（３３Ａ）への反映処理を行う。
【００３５】  端末通信管理部Ｂ（２０Ｂ）は、一拍目ド＃、二拍目レ＃、三拍目ファとなっているピアノパートを演奏した音声データを生成し、編集端末Ｂ（３０Ｂ）へコンテンツ差分情報（Ｓ０８）を送信する。編集端末Ｂ（３０Ｂ）は、コンテンツ差分情報（Ｓ０８）に従い端末コンテンツデータベース（３６Ｂ）を更新し、画面等の更新を行う。
【００３６】  以上で楽曲編集サーバ（１０）及び各編集端末全てに反映され同期処理は完了となる。
【００３７】  図５は、楽曲編集サーバ（１０）に編集命令が通知された際の楽曲編集サーバ（１０）のフローチャートである。編集命令を送信した編集端末を（３０ｘ）とし、図中のｘは編集端末と同じ符号Ａ〜Ｎを表す。
【００３８】  編集命令を受けた端末通信管理部（２０ｘ）の編集命令処理部（２１ｘ）にて、編集命令の一意識別子（ＵＵＩＤ）が、自身の持つコンテンツデータ変換データベース（２４ｘ）に存在するかを調べ、その結果により分岐する（ステップ００１）。存在しない場合には、変換の必要のない編集命令として、そのままの形でコンテンツ編集処理部（１００）へ通知する（ステップ００３）。
【００３９】  編集命令処理部（２１ｘ）にて、編集端末（３０ｘ）から通知された編集命令を、コンテンツデータ変換データベース（２４ｘ）を参照し、コンテンツ編集処理部（１００）が処理可能な編集命令へと変換しコンテンツ編集処理部（１００）へ通知する（ステップ００２）。
【００４０】  コンテンツ編集処理部（１００）にて、コンテンツデータベース（１０１）の中に編集命令の一意識別子に該当する箇所があるかの有無を確認し、その結果により分岐する。ここで存在が確認できない場合は、不正或は無効な編集命令であると判断し、処理を終える（ステップ００４）
【００４１】  編集命令に従い、コンテンツデータベース（１０１）の該当箇所を更新する（ステップ００５）。更新した内容を全ての編集端末に通知する為に、端末通信管理部Ａ（２０Ａ）を先頭とし、端末通信管理部をすべて繰り返す為の変数ｎを用意（ステップ００６）。以下図中のｎは符号Ａ〜Ｎを表す。
【００４２】  端末通信管理部（２０ｎ）にコンテンツデータベース（１０１）が編集されたことを通知し、端末通信管理部（２０ｎ）では、機能特性情報（２３ｎ）を参照し、編集されたコンテンツデータベース（１０１）の該当箇所の情報は、編集端末（３０ｎ）がそのままの形式で扱えるか否かを判断し分岐する（ステップ００７）。そのままの形式で扱える場合には変換は不要なので、更新箇所を表すコンテンツ差分情報を生成し、編集端末（３０ｎ）へ送信する（ステップ００８）
【００４３】  機能特性情報（２３ｎ）を参照し、コンテンツデータベース（１０１）の編集対象に相当する、編集端末（３０ｎ）向けのデータ（音声データ等）を生成し、コンテンツデータ変換データベース（２４ｎ）に反映する。その際、生成したデータを識別するために一意識別子（ＵＵＩＤ）を付与して反映する（ステップ００９）。
【００４４】  （ステップ００９）で生成したデータを用いて、編集端末（３０ｎ）向けのコンテンツ差分情報を生成し、編集端末（３０ｎ）へ送信する（ステップ０１０）。
【００４５】  変数ｎを進め、全ての通信端末管理部の処理が行われるまで繰り返す（ステップ０１１）。
【００４６】  以上説明したように、同期状態にある複数の編集端末がそれぞれ異なる機能特性であっても、それぞれに適した情報を編集サーバ（１０）が生成し送信することで、共通のコンテンツを複数のユーザが同時に編集することが可能となる。
【産業上の利用可能性】
【００４７】  本発明は、楽曲編集サーバに蓄積されている楽曲コンテンツを、複数端末からネットワークを介して同時編集を行うシステムに利用することができる。
【符号の説明】    １０    楽曲編集サーバ
２０Ａ、２０Ｂ、・・・、２０Ｎ    端末通信管理部
２１Ａ、２１Ｂ、・・・、２１Ｎ    編集命令処理部
２２Ａ、２２Ｂ、・・・、２２Ｎ    コンテンツ差分情報生成部
２３Ａ、２３Ｂ、・・・、２３Ｎ    機能特性情報
２４Ａ、２４Ｂ、・・・、２４Ｎ    コンテンツデータ変換データベース
３０Ａ、３０Ｂ、・・・、３０Ｎ    編集端末
３１Ａ、３１Ｂ、・・・、３１Ｎ    端末操作部
３２Ａ、３２Ｂ、・・・、３２Ｎ    画面表示部
３３Ａ、３３Ｂ、・・・、３３Ｎ    コンテンツ再生部
３４Ａ、３４Ｂ、・・・、３４Ｎ    コンテンツデータ管理部
３５Ａ、３５Ｂ、・・・、３５Ｎ    コンテンツ差分情報処理部
３６Ａ、３６Ｂ、・・・、３６Ｎ    端末コンテンツデータベース
１００  コンテンツ編集処理部
１０１  コンテンツデータベース
【図１】
2015049503.tif 000003
【図２】
2015049503.tif 000004
【図３】
2015049503.tif 000005
【図４】
2015049503.tif 000006
【図５】
2015049503.tif 000007